(57)【要約】【課題】ユーザが意図していない操作に対応する動作が被操作装置に遂行されてしまう事態の発生を抑制する。【解決手段】操作部材２は、回転操作と押込操作が可能である。第一信号出力部３は、回転操作に基づいて第一信号Ｓ１を出力する。第二信号出力部４は、押込操作に基づいて第二信号Ｓ２を出力する。速度検出部５は、操作部材の回転操作速度Ｖｒと押込操作速度Ｖｐを検出する。調停部６は、速度検出部５に検出された回転操作速度Ｖｒと押込操作速度Ｖｐに基づいて、第一信号出力部３からの第一信号Ｓ１の出力と第二信号出力部４からの第二信号Ｓ２の出力の一方を優先させる。【選択図】図１
2018181442.tif 000002
【特許請求の範囲】
【請求項１】
回転操作と押込操作が可能な操作部材と、
前記回転操作に基づいて第一信号を出力する第一信号出力部と、
前記押込操作に基づいて第二信号を出力する第二信号出力部と、
前記操作部材の回転操作速度と押込操作速度を検出する速度検出部と、
前記速度検出部に検出された前記回転操作速度と前記押込操作速度に基づいて、前記第一信号出力部からの前記第一信号の出力と前記第二信号出力部からの前記第二信号の出力の一方を優先させる調停部と、
を備えている、
スイッチ装置。
【請求項２】
前記第一信号と前記第二信号のいずれも出力されない中立状態と、
前記第一信号の出力が優先される第一出力状態と、
前記第二信号の出力が優先される第二出力状態と、
を有しており、
前記回転操作速度が所定値を上回ると前記第一出力状態への遷移がなされ、
前記押込操作速度が所定値を上回ると前記第二出力状態への遷移がなされる、
請求項１に記載のスイッチ装置。
【請求項３】
前記第一出力状態において前記回転操作の不在または前記押込操作が検出されると前記中立状態への遷移がなされ、
前記第二出力状態において前記押込操作の不在または前記回転操作が検出されると前記中立状態への遷移がなされる、
請求項２に記載のスイッチ装置。
【請求項４】
前記回転操作速度が前記所定値を上回る場合に出力される前記第一信号により実現される操作量または操作種別は、当該回転操作速度に応じて異なる、
請求項２または３に記載のスイッチ装置。
【請求項５】
前記押込操作速度が前記所定値を上回る場合に出力される前記第二信号により実現される操作量または操作種別は、当該押込操作速度に応じて異なる、
請求項２から４のいずれか一項に記載のスイッチ装置。
【請求項６】
車両に搭載されるように構成されている、
請求項１から５のいずれか一項に記載のスイッチ装置。
【発明の詳細な説明】
【技術分野】
【０００１】
本発明は、回転操作と押込操作が可能な操作部材を備えているスイッチ装置に関する。
【背景技術】
【０００２】
特許文献１は、この種のスイッチ装置を開示している。この種のスイッチ装置においては、ユーザが操作部材の回転操作を意図しているにもかかわらず、押込操作も行なってしまう場合がありうる。同様に、ユーザが操作部材の押込操作を意図しているにもかかわらず、回転操作も行なってしまう場合がありうる。
【先行技術文献】
【特許文献】
【０００３】
【特許文献１】特開２００３−２９７６１４号公報
【発明の概要】
【発明が解決しようとする課題】
【０００４】
本発明の目的は、ユーザが意図してしない操作に対応する動作が被操作装置に遂行されてしまう事態の発生を抑制することである。
【課題を解決するための手段】
【０００５】
上記の目的を達成するための一態様は、スイッチ装置であって、
回転操作と押込操作が可能な操作部材と、
前記回転操作に基づいて第一信号を出力する第一信号出力部と、
前記押込操作に基づいて第二信号を出力する第二信号出力部と、
前記操作部材の回転操作速度と押込操作速度を検出する速度検出部と、
前記速度検出部に検出された前記回転操作速度と前記押込操作速度に基づいて、前記第一信号出力部からの前記第一信号の出力と前記第二信号出力部からの前記第二信号の出力の一方を優先させる調停部と、
を備えている。
【０００６】
ユーザが回転操作と押込操作の一方を意図しているにもかかわらず、回転操作と押込操作の双方を行なってしまう場合がありうる。この場合、第一信号と第二信号の双方が出力される。しかしながら、調停部は、回転操作速度と押込操作速度に基づいて第一信号の出力と第二信号の出力のいずれか一方を優先する。したがって、意図せず回転操作と押込操作の双方が遂行されてしまう事態を回避できる。すなわち、ユーザが意図していない操作に対応する動作が被操作装置に遂行されてしまう事態の発生を抑制できる。
【０００７】
上記のスイッチ装置は、以下のように構成されうる。
前記第一信号と前記第二信号のいずれも出力されない中立状態と、
前記第一信号の出力が優先される第一出力状態と、
前記第二信号の出力が優先される第二出力状態と、
を有しており、
前記回転操作速度が所定値を上回ると前記第一出力状態への遷移がなされ、
前記押込操作速度が所定値を上回ると前記第二出力状態への遷移がなされる。
【０００８】
このような構成によれば、ユーザが意図せず操作部材に触れた結果として回転操作あるいは押込操作がなされてしまった場合において、当該回転操作あるいは押込操作に対応する動作が被操作装置に遂行されてしまう事態の発生を抑制できる。
【０００９】
この場合、上記のスイッチ装置は、以下のように構成されうる。
前記第一出力状態において前記回転操作の不在または前記押込操作が検出されると前記中立状態への遷移がなされ、
前記第二出力状態において前記押込操作の不在または前記回転操作が検出されると前記中立状態への遷移がなされる。
【００１０】
第一出力状態において上記のような動作状態が検出される場合、回転操作の終了や、押込操作への移行という状況が推定される。よって、次の操作を待機する状態に速やかに移行できる。同様に、第二出力状態において上記のような動作状態が検出される場合、押込操作の終了や、回転操作への移行という状況が推定される。よって、次の操作を待機する状態に速やかに移行できる。
【００１１】
上記のスイッチ装置は、以下のように構成されうる。
前記回転操作速度が前記所定値を上回る場合に出力される前記第一信号により実現される操作量または操作種別は、当該回転操作速度に応じて異なる。
【００１２】
このような構成によれば、回転操作が可能な操作部材の数を増やすことなく効率的な操作や多彩な操作を実現できる。
【００１３】
上記のスイッチ装置は、以下のように構成されうる。
前記押込操作速度が前記所定値を上回る場合に出力される前記第二信号により実現される操作量または操作種別は、当該押込操作速度に応じて異なる。
【００１４】
このような構成によれば、押込操作が可能な操作部材の数を増やすことなく効率的な操作や多彩な操作を実現できる。
【００１５】
上記のスイッチ装置は、車両に搭載されるように構成されうる。
【００１６】
運転中においては、運転者の視線はスイッチ装置から離れる。したがって、運転者が操作部材の回転操作と押込操作の一方を意図しているにもかかわらず、回転操作と押込操作の他方も行なってしまう事態が生じやすい。しかしながら、上記のスイッチ装置によれば、ユーザとしての運転者の意図に沿わない操作に対応する動作が被操作装置に遂行されてしまう事態の発生を抑制できる。したがって、運転者の意識を運転行為に集中させることができる。
【発明の効果】
【００１７】
本発明によれば、ユーザが意図していない操作に対応する動作が被操作装置に遂行されてしまう事態の発生を抑制できる。
【図面の簡単な説明】
【００１８】
【図１】一実施形態に係るスイッチ装置の機能的構成を示している。
【図２】上記スイッチ装置の動作状態の遷移を示している。
【発明を実施するための形態】
【００１９】
添付の図面を参照しつつ、実施形態例について以下詳細に説明する。
【００２０】
図１は、一実施形態に係るスイッチ装置１の機能的構成を示している。スイッチ装置１は、被操作装置に所定の動作を実行させるための装置である。
【００２１】
スイッチ装置１は、回転操作と押込操作が可能な操作部材２を備えている。操作部材２の一例としては、図１に模式的に示すようなノブ部材が挙げられる。ノブ部材は、中心軸周りの回転と、中心軸に沿う方向の変位が許容されるように、適宜の構造内に設置される。操作部材２の別例としては、押込操作が可能なボタン部と回転操作が可能なホイール部が別体として設けられている構成が挙げられる。ボタン部は、変位軸に沿って変位可能に適宜の構造内に設置される。ホイール部は、ボタン部を包囲するとともにボタン部の変位軸を中心として回転可能に適宜の構造内に設置される。
【００２２】
スイッチ装置１は、第一信号出力部３を備えている。第一信号出力部３は、操作部材２の回転操作に基づいて第一信号Ｓ１を出力するように構成されている。第一信号Ｓ１は、上記の被操作装置に当該回転操作に対応する動作を実行させるための信号である。回転操作に応じた信号を出力するスイッチ回路自体は周知であるため、詳細な説明は省略する。
【００２３】
スイッチ装置１は、第二信号出力部４を備えている。第二信号出力部４は、操作部材２の押込操作に基づいて第二信号Ｓ２を出力するように構成されている。第二信号Ｓ２は、上記の被操作装置に当該押込操作に対応する動作を実行させるための信号である。押込操作に応じた信号を出力するスイッチ回路自体は周知であるため、詳細な説明は省略する。
【００２４】
スイッチ装置１は、速度検出部５を備えている。速度検出部５は、操作部材２の回転操作速度Ｖｒと押込操作速度Ｖｐを検出するように構成されている。回転操作速度Ｖｒは、例えばロータリーエンコーダ機構を用いて検出される。押込操作速度Ｖｐは、例えばリニアエンコーダ機構を用いて検出される。ロータリーエンコーダ機構とリニアエンコーダ機構自体は周知であるため、詳細な説明は省略する。
【００２５】
スイッチ装置１は、調停部６を備えている。調停部６は、速度検出部５に検出された回転操作速度Ｖｒと押込操作速度Ｖｐに基づいて、第一信号出力部３からの第一信号Ｓ１の出力と第二信号出力部４からの第二信号Ｓ２の出力の一方を優先させるように構成されている。本実施形態においては、調停部６は、第一信号Ｓ１と第二信号Ｓ２の一方を、出力信号として上記の被操作装置へ出力するように構成されている。
【００２６】
例えば、回転操作速度Ｖｒと押込操作速度Ｖｐのうち、より大きな速度を有する操作に対応する信号が出力信号として非操作装置へ出力されうる。すなわち、回転操作速度Ｖｒが押込操作速度Ｖｐを上回っている場合、回転操作に対応する第一信号Ｓ１が出力信号として出力される。押込操作速度Ｖｐが回転操作速度Ｖｒを上回っている場合、押込操作に対応する第二信号Ｓ２が出力信号として出力される。
【００２７】
ユーザが回転操作と押込操作の一方を意図しているにもかかわらず、回転操作と押込操作の双方を行なってしまう場合がありうる。この場合、第一信号Ｓ１と第二信号Ｓ２の双方が出力される。しかしながら、調停部６は、回転操作速度Ｖｒと押込操作速度Ｖｐに基づいて第一信号Ｓ１の出力と第二信号Ｓ２の出力のいずれか一方を優先する。したがって、意図せず回転操作と押込操作の双方が遂行されてしまう事態を回避できる。すなわち、ユーザが意図していない操作に対応する動作が被操作装置に遂行されてしまう事態の発生を抑制できる。
【００２８】
調停部６の機能は、メモリに格納されたソフトウェアがプロセッサに実行されることによって実現されうる。メモリの例としては、ＲＯＭやＲＡＭが挙げられる。プロセッサの例としては、ＣＰＵやＭＰＵが挙げられる。あるいは、調停部６の機能は、ＡＳＩＣやＦＰＧＡなどの専用デバイスや、専用の論理回路群によって実現されうる。調停部６は、操作部材２が設けられている筐体内に配置されてもよいし、当該筐体の外側に配置されてもよい。
【００２９】
次に図２を参照しつつ、スイッチ装置１の動作の別例を説明する。本例においては、スイッチ装置１は、中立状態、第一出力状態、および第二出力状態を有している。スイッチ装置１の状態は、これら三つの状態の間を遷移する。中立状態においては、出力信号として第一信号Ｓ１と第二信号Ｓ２のいずれも出力されない。第一出力状態においては、第一信号Ｓ１の出力が優先される。すなわち、出力信号として第一信号Ｓ１が出力される。第二出力状態においては、第二信号Ｓ２の出力が優先される。すなわち、出力信号として第二信号Ｓ２が出力される。
【００３０】
中立状態において、速度検出部５によって検出される回転操作速度Ｖｒが所定値Ｖｒｔを上回ると、第一出力状態への遷移がなされる。第一出力状態において、速度検出部５によって検出される押込操作速度Ｖｐが所定値Ｖｐｔを上回ると、第二出力状態への遷移がなされる。
【００３１】
中立状態において、速度検出部５によって検出される押込操作速度Ｖｐが所定値Ｖｐｔを上回ると、第二出力状態への遷移がなされる。第二出力状態において、速度検出部５によって検出される回転操作速度Ｖｒが所定値Ｖｒｔを上回ると、第一出力状態への遷移がなされる。
【００３２】
すなわち、速度検出部５によって検出される回転操作速度Ｖｒが所定値Ｖｒｔを上回ると、第一出力状態への遷移がなされる。他方、速度検出部５によって検出される押込操作速度Ｖｐが所定値Ｖｐｔを上回ると、第二出力状態への遷移がなされる。
【００３３】
回転操作速度Ｖｒに係る所定値Ｖｒｔは、ユーザが意図的に操作部材２の回転操作を行なっていると判断されうる速度値として定められる。同様に、押込操作速度Ｖｐに係る所定値Ｖｐｔは、ユーザが意図的に操作部材２の押込操作を行なっていると判断されうる速度値として定められる。
【００３４】
このような構成によれば、ユーザが意図せず操作部材２に触れた結果として回転操作あるいは押込操作がなされてしまった場合において、当該回転操作あるいは押込操作に対応する動作が被操作装置に遂行されてしまう事態の発生を抑制できる。
【００３５】
操作部材２の回転操作に基づく第一信号Ｓ１の出力が優先される第一出力状態においては、回転操作が検出されている限り（Ｖｒ＞０）、第一出力状態が継続される。他方、第一出力状態において回転操作の不在（Ｖｒ＝０）または押込操作が検出されると（Ｖｐ＞０）、中立状態への遷移がなされる。
【００３６】
第一出力状態においてこのような動作状態が検出される場合、回転操作の終了や、押込操作への移行という状況が推定される。よって、次の操作を待機する状態に速やかに移行できる。
【００３７】
操作部材２の押込操作に基づく第二信号Ｓ２の出力が優先される第二出力状態においては、回転操作が検出されている限り（Ｖｐ＞０）、第二出力状態が継続される。他方、第二出力状態において押込操作の不在（Ｖｐ＝０）または回転操作が検出されると（Ｖｒ＞０）、中立状態への遷移がなされる。
【００３８】
第二出力状態においてこのような動作状態が検出される場合、押込操作の終了や、回転操作への移行という状況が推定される。よって、次の操作を待機する状態に速やかに移行できる。
【００３９】
図２に破線で示されるように、回転操作速度Ｖｒが所定値Ｖｒｔを上回る場合に出力される第一信号Ｓ１により実現される操作量は、回転操作速度Ｖｒに応じて異なるように構成されうる。例えば、回転操作速度Ｖｒが大きいほど第一信号Ｓ１によって実現される被操作装置の操作量を大きくすることができる。図２においては、操作量が二段階で増加される例が示されている。しかしながら、操作量は三段階以上で増加されてもよいし、無段階で連続的に増加されてもよい。あるいは、回転操作速度Ｖｒに応じて異なる種別の操作が実現されてもよい。
【００４０】
このような構成によれば、回転操作が可能な操作部材の数を増やすことなく効率的な操作や多彩な操作を実現できる。
【００４１】
図２に破線で示されるように、押込操作速度Ｖｐが所定値Ｖｐｔを上回る場合に出力される第二信号Ｓ２により実現される操作量は、押込操作速度Ｖｐに応じて異なるように構成されうる。例えば、押込操作速度Ｖｐが大きいほど第二信号Ｓ２によって実現される被操作装置の操作量を大きくすることができる。図２においては、操作量が二段階で増加される例が示されている。しかしながら、操作量は三段階以上で増加されてもよいし、無段階で連続的に増加されてもよい。あるいは、押込操作速度Ｖｐに応じて異なる種別の操作が実現されてもよい。
【００４２】
このような構成によれば、押込操作が可能な操作部材の数を増やすことなく効率的な操作や多彩な操作を実現できる。
【００４３】
上記のスイッチ装置１は、例えば車両に搭載されるように構成されうる。操作部材２によって操作される被操作装置の例としては、車両に搭載されているナビゲーション装置やオーディオ機器などが挙げられる。
【００４４】
運転中においては、運転者の視線はスイッチ装置１から離れる。したがって、運転者が操作部材２の回転操作と押込操作の一方を意図しているにもかかわらず、回転操作と押込操作の他方も行なってしまう事態が生じやすい。しかしながら、上記のスイッチ装置１によれば、ユーザとしての運転者の意図に沿わない操作に対応する動作が被操作装置に遂行されてしまう事態の発生を抑制できる。したがって、運転者の意識を運転行為に集中させることができる。
【００４５】
上記の実施形態は、本発明の理解を容易にするための例示にすぎない。上記の実施形態に係る構成は、本発明の趣旨を逸脱しなければ、適宜に変更・改良されうる。
【００４６】
上記の実施形態においては、調停部６は、速度検出部５によって検出される回転操作速度Ｖｒと押込操作速度Ｖｐに基づいて、第一信号Ｓ１と第二信号Ｓ２にいずれか一方を被操作装置へ出力する。しかしながら、第一信号Ｓ１と第二信号Ｓ２の同時出力が許容されるような態様においては、第一信号Ｓ１と第二信号Ｓ２の一方の信号強度を他方よりも相対的に大きくすることによって、第一信号Ｓ１と第二信号Ｓ２の一方の出力を優先するという動作も実現されうる。
【符号の説明】
【００４７】
１：スイッチ装置、２：操作部材、３：第一信号出力部、４：第二信号出力部、５：速度検出部、６：調停部、Ｖｒ：回転操作速度、Ｖｐ：押込操作速度
【図１】
2018181442.tif 000003
【図２】
2018181442.tif 000004